(57)【要約】【課題】この発明は、映像表示装置によって映像が表示されている状態において、その映像を見る者がいなくなったと判定したときに、焼き付き現象の防止対策を自動的に実行させることができるようになる映像表示装置を提供することを目的とする。【解決手段】映像表示パネルの前方に人が存在するか否かを検出するための人感センサ、映像表示装置の電源がオンされている状態において、人感センサによって人が検出されていない状態が第１の所定時間以上継続したときには、画面焼き付き防止用映像を映像表示パネルに表示させる手段、ならびに画面焼き付き防止用映像が映像表示パネルに表示されている場合に、人感センサによって人が検出されたときに、画面焼き付き防止用映像の表示をオフさせる手段を備えている。【選択図】  図１
2004336646.tif 000002
【特許請求の範囲】
【請求項１】
映像表示装置に入力された映像を映像表示パネルに表示させる映像表示装置において、
映像表示パネルの前方に人が存在するか否かを検出するための人感センサ、
映像表示装置の電源がオンされている状態において、人感センサによって人が検出されていない状態が第１の所定時間以上継続したときには、画面焼き付き防止用映像を映像表示パネルに表示させる手段、ならびに
画面焼き付き防止用映像が映像表示パネルに表示されている場合に、人感センサによって人が検出されたときに、画面焼き付き防止用映像の表示をオフさせる手段、
を備えていることを特徴とする映像表示装置。
【請求項２】
画面焼き付き防止用映像が表示されてから、人感センサによって人が検出されていない状態が第２の所定時間以上継続したときには、映像表示装置の電源をオフさせる手段を備えていることを特徴とする請求項１に記載の映像表示装置。
【請求項３】
映像表示装置に入力された映像を映像表示パネルに表示させる映像表示装置において、
映像表示装置の電源がオンされている状態において、映像表示装置を制御するためのリモコン送信機が操作されていない状態が第１の所定時間以上継続したときには、画面焼き付き防止用映像を映像表示パネルに表示させる手段、ならびに
画面焼き付き防止用映像が映像表示パネルに表示されている場合に、リモコン送信機が操作されたときに、画面焼き付き防止用映像の表示をオフさせる手段、
を備えていることを特徴とする映像表示装置。
【請求項４】
画面焼き付き防止用映像が表示されてから、リモコン送信機が操作されていない状態が第２の所定時間以上継続したときには、映像表示装置の電源をオフさせる手段を備えていることを特徴とする請求項３に記載の映像表示装置。
【請求項５】
デジタル放送受信機によって受信された映像を映像表示パネルに表示させる機能を備えた映像表示装置であって、デジタル放送受信機は予め設定された時刻に番組情報の取得処理を行う番組情報取得手段を備えている映像表示装置において、
デジタル放送受信機の番組情報取得手段が番組情報の取得を開始したときに、映像表示装置の電源がオフ状態であるか否かを判別する手段、ならびに
デジタル放送受信機の番組情報取得手段が番組情報の取得を開始したときに、映像表示装置の電源がオフ状態である場合には、映像表示装置の電源をオン状態にさせるとともに、画面焼き付き防止用映像を映像表示パネルに表示させる手段、
を備えていることを特徴とする映像表示装置。
【請求項６】
画面焼き付き防止用映像が映像表示パネルに表示されている状態において、映像表示装置を制御するためのリモコン送信機が操作されたときには、画面焼き付き防止用映像の表示をオフさせる手段、ならびに
画面焼き付き防止用映像が映像表示パネルに表示されてから、リモコン送信機が操作されていない状態が所定時間以上継続したときには、映像表示装置の電源をオフさせる手段を備えていることを特徴とする請求項５に記載の映像表示装置。
【請求項７】
テレビ放送受信機によって受信された映像を映像表示パネルに表示させる機能を備えた映像表示装置において、
テレビ放送受信機によって受信された映像が映像表示装置によって表示されている場合において、テレビ放送受信機によって受信された音声信号の音声方式に基づいて、ＣＭ放送を受信中か否かを判別する手段、ならびに
ＣＭ放送を受信中であると判別したときには、画面焼き付き防止用映像を映像表示パネルに表示させる手段、
を備えていることを特徴とする映像表示装置。
【発明の詳細な説明】
【０００１】
【発明の属する技術分野】
この発明は、ＰＤＰ（プラズマディスプレイパネル）、液晶パネル、有機ＥＬパネル等の映像表示パネルを備えた映像表示装置に関する。
【０００２】
【従来の技術】
ＰＤＰ（プラズマディスプレイパネル）、液晶パネル、有機ＥＬパネル等の表示パネルでは、画面焼き付き現象が発生することが知られている。画面焼き付き現象は、画面上に明暗（輝度差）のある映像が長時間連続して表示されることにより、画面上の個々のピクセル（蛍光体）間で、発光輝度の差が生じてくることが主な原因となっている。
【０００３】
特に、画面上の同じ位置に、字幕やウインドウ画像が長時間連続して表示されると、字幕やウインドウ画像が表示されているピクセルとそれに隣接するピクセルとの間で、ピクセル自体の発光輝度や色度に差が生じ、その結果、画面全体で映像を見たときに、ピクセル間の発光差（約０．５％以上の発光差で確認できる）が画面上に残ることがある。一般的にこのような現象が画面（パネル）の焼き付き現象と呼ばれている。
【０００４】
このような発光差による焼き付き現象が表示パネルに発生した場合において、この焼き付き現象を緩和させるには、つまり、隣接するピクセル間の輝度差を０．５％以下にするには、画面上の全ピクセルを同じレベルまで発光劣化させるしかない。しかしながら、画面上の全ピクセルを同じレベルまで均等に劣化させるには、全白映像等の均一映像を長時間にわたって連続して表示させる必要がある。
【０００５】
このように、焼き付き現象が一旦起こった場合には焼き付き現象を緩和させることは容易ではないため、焼き付き現象が起こらないように、字幕、ウインドウ画像のような明暗の激しい映像であって、静止映像や動きの少ない動画を、長時間にわたって表示させないようにする必要がある。
【０００６】
しかしながら、現実には、画面上に明暗（輝度差）がある映像を長時間連続して表示させないようにすることは困難である。そこで、焼き付き現象の防止対策として、次のような対策が採られている。
【０００７】
（１）一定期間、全白映像を表示させる。
（２）一定期間毎に表示映像を数ピクセル〜数１０ピクセル分、上下左右に移動させる。
（３）表示映像の変化のない状態が一定期間続いたときに、予め用意した動画映像を表示させる。
（４）一定期間、表示映像の階調を反転させる。
【０００８】
従来は、このような焼き付き現象の防止対策は、ユーザからの指令によって実行されている。
【０００９】
【発明が解決しようとする課題】
この発明は、映像表示装置によって映像が表示されている状態において、その映像を見る者がいなくなったと判定したときに、焼き付き現象の防止対策を自動的に実行させることができるようになる映像表示装置を提供することを目的とする。
【００１０】
また、この発明は、デジタル放送受信機によって受信された映像を映像表示パネルに表示させる機能を備えた映像表示装置において、デジタル放送受信機が予め定められた時間に番組情報を取得するときに、焼き付き現象の防止対策を自動的に実行させることができるようになる映像表示装置を提供することを目的とする。
【００１１】
また、この発明は、テレビ放送受信機によって受信された映像が表示されている状態において、ＣＭ放送が受信されているときに焼き付き現象の防止対策を自動的に実行させることができるようになる映像表示装置を提供することを目的とする。
【００１２】
【課題を解決するための手段】
請求項１に記載の発明は、映像表示装置に入力された映像を映像表示パネルに表示させる映像表示装置において、映像表示パネルの前方に人が存在するか否かを検出するための人感センサ、映像表示装置の電源がオンされている状態において、人感センサによって人が検出されていない状態が第１の所定時間以上継続したときには、画面焼き付き防止用映像を映像表示パネルに表示させる手段、ならびに画面焼き付き防止用映像が映像表示パネルに表示されている場合に、人感センサによって人が検出されたときに、画面焼き付き防止用映像の表示をオフさせる手段を備えていることを特徴とする。
【００１３】
請求項２に記載の発明は、請求項１に記載の映像表示装置において、画面焼き付き防止用映像が表示されてから、人感センサによって人が検出されていない状態が第２の所定時間以上継続したときには、映像表示装置の電源をオフさせる手段を備えていることを特徴とする。
【００１４】
請求項３に記載の発明は、映像表示装置に入力された映像を映像表示パネルに表示させる映像表示装置において、映像表示装置の電源がオンされている状態において、映像表示装置を制御するためのリモコン送信機が操作されていない状態が第１の所定時間以上継続したときには、画面焼き付き防止用映像を映像表示パネルに表示させる手段、ならびに画面焼き付き防止用映像が映像表示パネルに表示されている場合に、リモコン送信機が操作されたときに、画面焼き付き防止用映像の表示をオフさせる手段を備えていることを特徴とする。
【００１５】
請求項４に記載の発明は、請求項３に記載の映像表示装置において、画面焼き付き防止用映像が表示されてから、リモコン送信機が操作されていない状態が第２の所定時間以上継続したときには、映像表示装置の電源をオフさせる手段を備えていることを特徴とする。
【００１６】
請求項５に記載の発明は、デジタル放送受信機によって受信された映像を映像表示パネルに表示させる機能を備えた映像表示装置であって、デジタル放送受信機は予め設定された時刻に番組情報の取得処理を行う番組情報取得手段を備えている映像表示装置において、デジタル放送受信機の番組情報取得手段が番組情報の取得を開始したときに、映像表示装置の電源がオフ状態であるか否かを判別する手段、ならびにデジタル放送受信機の番組情報取得手段が番組情報の取得を開始したときに、映像表示装置の電源がオフ状態である場合には、映像表示装置の電源をオン状態にさせるとともに、画面焼き付き防止用映像を映像表示パネルに表示させる手段を備えていることを特徴とする。
【００１７】
請求項６に記載の発明は、請求項５に記載の映像表示装置において、画面焼き付き防止用映像が映像表示パネルに表示されている状態において、映像表示装置を制御するためのリモコン送信機が操作されたときには、画面焼き付き防止用映像の表示をオフさせる手段、ならびに画面焼き付き防止用映像が映像表示パネルに表示されてから、リモコン送信機が操作されていない状態が所定時間以上継続したときには、映像表示装置の電源をオフさせる手段を備えていることを特徴とする。
【００１８】
請求項７に記載の発明は、テレビ放送受信機によって受信された映像を映像表示パネルに表示させる機能を備えた映像表示装置において、テレビ放送受信機によって受信された映像が映像表示装置によって表示されている場合において、テレビ放送受信機によって受信された音声信号の音声方式に基づいて、ＣＭ放送を受信中か否かを判別する手段、ならびにＣＭ放送を受信中であると判別したときには、画面焼き付き防止用映像を映像表示パネルに表示させる手段を備えていることを特徴とする。
【００１９】
【発明の実施の形態】
以下、図面を参照して、この発明の実施の形態について説明する。
【００２０】
〔１〕第１の実施の形態の説明
【００２１】
図１は、映像表示装置の構成を示している。
【００２２】
映像表示装置１は、映像信号入力切換回路１１、映像信号処理回路１２、駆動回路１３、映像表示パネル１４、マイコン１５、電源回路１６、リモコン受光部１７、リモコン受光回路１８、人感センサ１９等を備えている。映像表示パネル１４としては、ＰＤＰパネル、液晶パネル、有機ＥＬパネル等が用いられる。
【００２３】
マイコン１５、リモコン受光部１７、リモコン受光回路１８、人感センサ１９には、電源回路１６から、常に、電源が供給されている。映像信号入力切換回路１１、映像信号処理回路１２、駆動回路１３および映像表示パネル１４への電源回路１６からの電源供給は、マイコン１５から電源回路１６への電源オンオフ制御信号によって、オンオフ制御される。
【００２４】
図示しないリモコン送信機からのリモコン信号は、リモコン受光部１７およびリモコン受光回路１８を介してマイコン１５に入力される。人感センサ１９の検知信号は、マイコン１５に入力される。
【００２５】
リモコン送信機から電源オン指令が入力されると、マイコン１５から電源回路１６へ電源オン命令を表す電源オンオフ制御信号が送られ、映像信号入力切換回路１１、映像信号処理回路１２、駆動回路１３および映像表示パネル１４に電源が供給される。また、リモコン送信機から電源オフ指令が入力されると、マイコン１５から電源回路１６へ電源オフ命令を表す電源オンオフ制御信号が送られ、映像信号入力切換回路１１、映像信号処理回路１２、駆動回路１３および映像表示パネル１４への電源供給が停止される。
【００２６】
なお、映像信号入力切換回路１１、映像信号処理回路１２、駆動回路１３および映像表示パネル１４への電源回路１６への電源供給のオンオフ制御（電源オンオフ制御）は、自動的に行われる場合もある。
【００２７】
映像信号入力切換回路１１には、地上波放送、デジタル放送、ＶＴＲ入力、ＤＶＤ入力、ＰＣ入力およびその他の入力が、入力可能となっている。映像信号入力切換回路１１は、マイコン１５からの指令によって、１つの入力を選択して、映像信号処理回路１２に送る。
【００２８】
映像信号処理回路１２は入力された映像信号に対して所定の処理を行う。映像信号処理回路１２から出力された映像信号は駆動回路１３を介して映像表示パネル１４に送られ、これにより、映像表示パネル１４に映像が表示される。このように、映像信号入力切換回路１１に入力されている映像を映像表示パネル１４に表示することを通常映像表示ということにする。
【００２９】
また、この映像表示装置は、マイコン１５の制御によって、焼き付き現象を防止するための対策のために、従来例で説明した（１）〜（４）で示すような映像（以下、焼き付き防止用映像という）を表示する機能を備えている。
【００３０】
図２は、映像表示装置の電源がオンされている場合に映像表示装置１内のマイコン１５によって行われる処理手順を示している。
【００３１】
マイコン１５は、時間を計時するためのカウンタとして、第１カウンタと第２カウンタとを備えている。
【００３２】
まず、第１カウンタおよび第２カウンタをリセットする（ステップ１）。つまり、第１カウンタのカウント値Ｋ１および第２カウンタのカウント値Ｋ２を０にする。そして、通常映像表示を行う（ステップ２）。次に、人感センサ１９によって人が感知されているか否かを判別する（ステップ３）。つまり、映像表示装置の前に人が存在しているか否かを判別する。人が感知されている場合には、ステップ１に戻る。したがって、人が感知されている場合には、通常映像表示が継続して行われることになる。
【００３３】
人が感知されなくなると（ステップ３でＮＯ）、第１カウンタのカウンタ値Ｋ１を１だけインクリメントする（ステップ４）。そして、第１カウンタのカウンタ値Ｋ１に基づいて、上記ステップ４で人が感知されなくなってから、人が感知されない状態が３０分以上継続しているか否か判別する（ステップ５）。３０分以上継続していない場合にはステップ３に戻る。ステップ３において、人感センサ１９によって人が検知されていないと判別した場合にはステップ４に移行し、人感センサ１９によって人が検知されていると判別した場合にはステップ１に戻る。
【００３４】
上記ステップ５で、人が感知されない状態が３０分以上継続したと判別された場合には、マイコン１５は映像信号処理回路１２を制御することにより、通常映像の表示をオフし、焼き付き防止用映像を表示させる（ステップ６）。そして、第２カウンタのカウント値Ｋ２を１だけインクリメントする（ステップ７）。そして、第２カウンタのカウンタ値Ｋ２に基づいて、焼き付き防止用映像が表示されてから人が感知されない状態が２０分以上継続したか否か判別する（ステップ８）。
【００３５】
２０分以上継続していない場合には、人感センサ１９によって人が感知されているか否かを判別する（ステップ９）。人感センサ１９によって人が感知されていないと判別した場合にはステップ６に戻り、人感センサ１９によって人が感知されていると判別した場合には焼き付き防止用映像の表示をオフした後（ステップ１０）、ステップ１に戻る。
【００３６】
上記ステップ８において、焼き付き防止用映像が表示されてから人が感知されない状態が２０分以上継続したと判別した場合には、電源を自動的にオフ、つまり、映像信号入力切換回路１１、映像信号処理回路１２、駆動回路１３および映像表示パネル１４への電源供給を自動的にオフする（ステップ１１）。そして、人感センサ１９によって人が感知されているか否かを判別する（ステップ１２）。
【００３７】
人感センサ１９によって人が感知されていないと判別した場合にはステップ１１に戻る。人感センサ１９によって人が感知されていると判別した場合には、電源を自動的にオン、つまり、映像信号入力切換回路１１、映像信号処理回路１２、駆動回路１３および映像表示パネル１４への電源供給を自動的にオンした後（ステップ１３）、ステップ１に戻る。
【００３８】
つまり、第１の実施の形態では、通常映像が表示されている状態において、人感センサ１９によって人が感知されていない状態が３０分以上継続したときには、通常映像表示がオフされ焼き付き防止用映像が表示されるようになる。
【００３９】
焼き付き防止用映像が表示された後、２０分経過する前に、人感センサ１９によって人が感知された場合には、焼き付き防止用映像の表示がオフされ通常映像が表示されるようになる。
【００４０】
焼き付き防止用映像が表示されてから、人感センサ１９によって人が感知されていない状態が２０分以上継続すると、電源が自動的にオフされる。
【００４１】
上記ステップ５での判定時間（３０分）および上記ステップ８での判定時間（２０分）は、ユーザによって設定変更が可能である。
【００４２】
〔２〕第２の実施の形態の説明
【００４３】
図３は、映像表示装置の構成を示している。図３において、図１と対応するものには、同じ符号を付してある。
【００４４】
図３の映像表示装置１Ａと図１の映像表示装置１との構成の違いは、図３の映像表示装置では人感センサ１９が設けられていない点のみである。
【００４５】
図４は、映像表示装置の電源がオンされている場合に映像表示装置１Ａ内のマイコン１５によって行われる処理手順を示している。
【００４６】
マイコン１５は、時間を計時するためのカウンタとして、第１カウンタと第２カウンタとを備えている。
【００４７】
まず、第１カウンタおよび第２カウンタをリセットする（ステップ２１）。つまり、第１カウンタのカウント値Ｋ１および第２カウンタのカウント値Ｋ２を０にする。そして、通常映像表示を行う（ステップ２２）。次に、リモコン受光回路１８からの信号に基づいて、リモコン送信機に対する操作（リモコン操作）があったか否かを判別する（ステップ２３）。リモコン操作があった場合には、ステップ２１に戻る。
【００４８】
リモコン操作がなかったと判別した場合には（ステップ２３でＮＯ）、第１カウンタのカウンタ値Ｋ１を１だけインクリメントする（ステップ２４）。そして、第１カウンタのカウンタ値Ｋ１に基づいて、リモコン無操作状態が３０分以上継続しているか否か判別する（ステップ２５）。３０分以上継続していない場合にはステップ２３に戻る。ステップ２３において、リモコン操作がなかったと判別した場合にはステップ２４に移行し、リモコン操作があったと判別した場合にはステップ２１に戻る。
【００４９】
上記ステップ２５で、リモコン無操作状態が３０分以上継続したと判別された場合には、マイコン１５は映像信号処理回路１２を制御することにより、通常映像の表示をオフし、焼き付き防止用映像を表示させる（ステップ２６）。そして、第２カウンタのカウント値Ｋ２を１だけインクリメントする（ステップ２７）。そして、第２カウンタのカウンタ値Ｋ２に基づいて、焼き付き防止用映像が表示されてからリモコン無操作状態が２０分以上継続したか否か判別する（ステップ２８）。
【００５０】
２０分以上継続していない場合には、リモコン操作があったが否かを判別する（ステップ２９）。リモコン操作がなかったと判別した場合にはステップ２６に戻り、リモコン操作があったと判別した場合には焼き付き防止用映像の表示をオフした後（ステップ３０）、ステップ２１に戻る。
【００５１】
上記ステップ２８において、焼き付き防止用映像が表示されてからリモコン無操作状態が２０分以上継続したと判別した場合には、電源を自動的にオフ、つまり、映像信号入力切換回路１１、映像信号処理回路１２、駆動回路１３および映像表示パネル１４への電源供給を自動的にオフする（ステップ３１）。そして、リモコン操作があったが否かを判別する（ステップ３２）。
【００５２】
リモコン操作がなかったと判別した場合にはステップ３１に戻る。リモコン操作があったと判別した場合には、電源を自動的にオン、つまり、映像信号入力切換回路１１、映像信号処理回路１２、駆動回路１３および映像表示パネル１４への電源供給を自動的にオンした後（ステップ３３）、ステップ２１に戻る。
【００５３】
つまり、第２の実施の形態では、通常映像が表示されている状態において、リモコン無操作状態が３０分以上継続したときには、通常映像表示がオフされ焼き付き防止用映像が表示されるようになる。
【００５４】
焼き付き防止用映像が表示された後、２０分経過する前に、リモコン操作が行われた場合には、焼き付き防止用映像の表示がオフされ通常映像が表示されるようになる。
【００５５】
焼き付き防止用映像が表示されてから、リモコン無操作状態が２０分以上継続すると、電源が自動的にオフされる。
【００５６】
上記ステップ２５での判定時間（３０分）および上記ステップ２８での判定時間（２０分）は、ユーザによって設定変更が可能である。
【００５７】
〔３〕第３の実施の形態の説明
【００５８】
図５は、映像表示装置１Ｂと、映像表示装置１Ｂに接続されたセットトップボックス型のデジタル放送受信機２とを示している。映像表示装置１Ｂの構成は、図３の映像表示装置１Ａと同じであるので、その説明を省略する。
【００５９】
デジタル放送受信機２は、デジタル放送受信回路２１と、番組情報（番組ガイドを生成するためのＥＰＧ情報）を取得して図示しない不揮発性メモリに保存させるための番組情報取得部２２とを備えている。
【００６０】
ここでは、デジタル放送受信機２は、予め定められた時刻、たとえば、深夜の午前０時から番組情報提供用の専用チャンネルから番組情報を取得するものとする。番組情報取得部２２は、上記専用チャンネルから番組情報の取得を開始したときに、その旨（番組情報取得を開始したこと）を映像表示装置１Ｂのマイコン１５に通知する。
【００６１】
図６は、デジタル放送受信機２から番組情報取得を開始したことが通知された際に映像表示装置１Ｂ内のマイコン１５によって行われる焼き付け防止処理手順を示している。
【００６２】
マイコン１５は、時間を計時するためのカウンタを備えている。デジタル放送受信機２から番組情報取得を開始したことが通知されると（ステップ４１）、映像表示装置１Ｂのマイコン１５は、映像表示装置１Ｂが電源オンの状態、つまり、映像信号入力切換回路１１、映像信号処理回路１２、駆動回路１３および映像表示パネル１４へ電源が供給されている状態か否かを判別する（ステップ４２）。
【００６３】
電源オン状態である場合には、つまり、通常映像が表示されている場合には、通常映像表示モードを維持したまま（ステップ４３）、今回の焼き付き防止処理を終了する。電源オフ状態である場合には、映像表示装置１Ｂの電源を自動的にオンさせる（ステップ４４）。つまり、映像信号入力切換回路１１、映像信号処理回路１２、駆動回路１３および映像表示パネル１４への電源供給をオンさせる。
【００６４】
また、カウンタをリセットする（ステップ４５）。つまり、カウンタのカウント値Ｋを０にする。この後、焼き付き防止用映像を表示させる（ステップ４６）。そして、カウンタのカウント値Ｋを１だけインクリメントする（ステップ４７）。そして、カウンタのカウンタ値Ｋに基づいて、焼き付き防止用映像が表示されてから、リモコン無操作状態が２０分以上継続したか否か判別する（ステップ４８）。
【００６５】
２０分以上継続していない場合には、リモコン操作があったが否かを判別する（ステップ４９）。リモコン操作がなかったと判別した場合にはステップ４６に戻る。リモコン操作があったと判別した場合には、焼き付き防止用映像の表示をオフした後（ステップ５０）、通常映像表示モードに移行する（ステップ５１）。そして、今回の焼き付き防止処理を終了する。
【００６６】
上記ステップ４８において、焼き付き防止用映像が表示されてから、リモコン無操作状態が２０分以上継続したと判定した場合には、映像表示装置１Ｂの電源を自動的にオフさせる（ステップ５２）。つまり、映像信号入力切換回路１１、映像信号処理回路１２、駆動回路１３および映像表示パネル１４への電源供給をオフさせる。そして、今回の焼き付き防止処理を終了する。そして、今回の焼き付き防止処理を終了する。
【００６７】
〔４〕第４の実施の形態の説明
【００６８】
図７は、映像表示装置の構成を示している。
【００６９】
この映像表示装置１Ｃには、地上波放送受信回路（地上波放送受信機）が内蔵されている。図７において、図３と対応するものには、同じ符号を付してある。
【００７０】
地上波放送受信回路は、チューナ３１、映像ＩＦ増幅器３２、ＦＭ検波器３３、音声デコーダ３４および音声出力部３５からなる。
【００７１】
映像信号入力切換回路１１は、地上波放送を選択しているものとする。テレビ放送波はチューナ３１によって受信され、映像ＩＦ増幅器３２によって、映像信号と音声信号とに分離される。映像ＩＦ増幅器３２によって得られた映像信号は、映像信号入力切換回路１１、映像信号処理回路１２および駆動回路１３を介して映像表示パネル１４に送られる。
【００７２】
映像ＩＦ増幅器３２によって得られた音声信号は、ＦＭ検波器３３によってＦＭ検波された後、音声デコーダ３４によって音声方式判別と音声処理が行われる。音声処理が行われた音声信号は、音声出力部３５に送られて、音声出力される。
【００７３】
音声デコーダ３４では、音声方式がステレオ、多重音声およびモノラルのうちのいずれの方式であるかを判別し、その判別結果を表す判別信号をマイコン１５に送る。ところで、ＶＴＲのＣＭカット機能とは、ステレオ、多重音声およびモノラルのうちから録画する音声方式を１つ選定し、選定した音声方式以外の音声方式の音声が入力されたときには録画をポーズさせるものである。例えば、映画番組を録画する際には、録画する音声方式として多重音声を選択すれば、ステレオ放送（ＣＭ放送）は録画されなくなる。
【００７４】
マイコン１５は、音声デコーダ３４から送られてくる判別信号に基づいて、ＣＭ放送（ステレオ）であるかＣＭ以外の放送（多重音声およびモノラル）であるかを判別し、ＣＭ放送時には焼き付き防止用映像を表示させる。ただし、ＣＭ放送中にＣＭ放送とは全く関係のない動画や全白画像を表示すると、視聴者に不快感を与える可能性があるので、焼き付き防止用映像としては、ＣＭ放送の映像を一定期間毎に数ピクセル〜数１０ピクセル分、上下左右に移動させるような映像が用いられる。
【００７５】
図８は、地上波放送を表示している場合に映像表示装置１Ｃ内のマイコン１５によって行われる焼き付き防止処理手順を示している。
【００７６】
まず、音声デコーダ３４から送られてくる判別信号に基づいて、ＣＭ放送が開始されたか否かを判別する（ステップ６１）。つまり、音声方式が、多重音声またはモノラルからステレオに切り換わったか否かを判別する。
【００７７】
ＣＭ放送が開始されたと判別したときには、焼き付き防止用映像を表示させる（ステップ６２）。そして、ＣＭ放送が終了したか否かを判別する（ステップ６３）。つまり、音声方式が、ステレオから多重音声またはモノラルからステレオに切り換わったか否かを判別する。
【００７８】
ＣＭ放送が終了していなければ、ステップ６２に戻る。ＣＭ放送が終了した場合には、焼き付き防止用映像の表示をオフした後、ステップ６１に戻る。
【００７９】
なお、ＣＭ放送であると判別する音声方式を、ユーザによって任意に設定できるようにすることが好ましい。
【００８０】
【発明の効果】
この発明によれば、映像表示装置によって映像が表示されている状態において、その映像を見る者がいなくなったと判定したときに、焼き付き現象の防止対策を自動的に実行させることができるようになる。
【００８１】
また、この発明によれば、デジタル放送受信機によって受信された映像を映像表示パネルに表示させる機能を備えた映像表示装置において、デジタル放送受信機が予め定められた時間に番組情報を取得するときに、焼き付き現象の防止対策を自動的に実行させることができるようになる。
【００８２】
また、この発明によれば、テレビ放送受信機によって受信された映像が表示されている状態において、ＣＭ放送が受信されているときに焼き付き現象の防止対策を自動的に実行させることができるようになる。
【図面の簡単な説明】
【図１】この発明の第１の実施の形態による映像表示装置の構成を示すブロック図である。
【図２】映像表示装置の電源がオンされている場合に映像表示装置１内のマイコン１５によって行われる処理手順を示すフローチャートである。
【図３】この発明の第２の実施の形態による映像表示装置の構成を示すブロック図である。
【図４】映像表示装置の電源がオンされている場合に映像表示装置１Ａ内のマイコン１５によって行われる処理手順を示すフローチャートである。
【図５】この発明の第３の実施の形態による映像表示装置の構成を示すブロック図である。
【図６】デジタル放送受信機２から番組情報取得を開始したことが通知された際に映像表示装置１Ｂ内のマイコン１５によって行われる焼き付け防止処理手順を示すフローチャートである。
【図７】この発明の第４の実施の形態による映像表示装置の構成を示すブロック図である。
【図８】地上波放送を表示している場合に映像表示装置１Ｃ内のマイコン１５によって行われる焼き付き防止処理手順を示すフローチャートである。
【符号の説明】
１、１Ａ、１Ｂ、１Ｃ  映像表示装置
１１  映像信号入力切換回路
１２  映像信号処理回路
１３  駆動回路
１４  映像表示パネル
１５  マイコン
１６  電源回路
１７  リモコン受光部
１８  リモコン受光回路
１９  人感センサ
【図１】
2004336646.tif 000003
【図２】
2004336646.tif 000004
【図３】
2004336646.tif 000005
【図４】
2004336646.tif 000006
【図５】
2004336646.tif 000007
【図６】
2004336646.tif 000008
【図７】
2004336646.tif 000009
【図８】
2004336646.tif 000010